(57)【要約】【課題】  各調整電圧の調整を行う際の利便性に優れ、同調整にかかる作業を簡素化することが可能なプラズマディスプレイ装置を提供する。 【解決手段】  ５種類の調整電圧（サステイン回路駆動電圧Ｖｓｕｓ、アドレス回路電圧Ｖａｄｄ、スキャン回路電圧Ｖｓｃａｎ、スキャン電極駆動ボ−ドのリセット回路駆動電圧Ｖｓｅｔ、共通電極駆動ボ−ドのバイアス回路駆動電圧Ｖｅ）の電圧を変換させてマイコン５０のＡ／Ｄ変換ポ−ト５１〜５５に入力させ、マイコン５０は、この入力された各調整電圧の電圧値を計測して、各電圧値の大きさを示すＯＳＤ画像をＰＤＰ２９に表示させるように構成されている。【選択図】図２
2006293078.tif 000002
【特許請求の範囲】
【請求項１】
入力映像信号に基づいて所定の表示画像をプラズマディスプレイパネルに表示させるプラズマディスプレイ装置において、
上記プラズマディスプレイパネルを駆動させるための調整電圧として、サステイン回路駆動電圧、スキャン電極駆動ボ−ドのリセット回路駆動電圧、スキャン回路電圧、共通電極駆動ボ−ドのバイアス回路駆動電圧およびアドレス回路電圧を、マイコンの回路電圧を超えない範囲の電圧に変化させる電圧変換手段を具備し、
上記マイコンは、上記電圧変換手段にて変換された上記複数の調整電圧をそれぞれ入力して各調整電圧の電圧値に関する情報を取得し、
上記マイコンにて取得された上記各調整電圧の電圧値に関する情報に基づき、各調整電圧の大きさを認識可能であり、且つ、予め設定されている同各調整電圧についての基準電圧との差を認識可能なように、上記基準電圧が０点を構成する目盛りを示す画像、同目盛り上に配置される調整電圧の大きさを示す画像、上記調整電圧の上記基準電圧からのずれの割合を示す数値画像を、ＯＳＤ画像としてプラズマディスプレイパネルに表示させるとともに、上記ずれの割合が所定の割合を超えた場合に、上記調整電圧の大きさを示す画像を、色を超えて表示させるＯＳＤ処理部を具備することを特徴とするプラズマディスプレイ装置。
【請求項２】
入力映像信号に基づいて所定の表示画像をプラズマディスプレイパネルに表示させるプラズマディスプレイ装置において、
上記プラズマディスプレイパネルを駆動させるための複数の調整電圧を所定基準の電圧に変化させる電圧変換手段と、
上記電圧変換手段にて変換された上記複数の調整電圧をそれぞれ入力し、各調整電圧の電圧値に関する情報を取得する情報取得手段と、
上記情報取得手段にて取得された上記各調整電圧の電圧値に関する情報に基づき、各調整電圧の大きさを認識可能なように上記プラズマディスプレイパネルに表示させる表示制御手段と
を具備することを特徴とするプラズマディスプレイ装置。
【請求項３】
上記表示制御手段は、上記各調整電圧の大きさを認識可能とすることに加えて、予め設定されている同各調整電圧についての基準電圧との差を認識可能なように上記プラズマディスプレイに表示させることを特徴とする請求項２に記載のプラズマディスプレイ装置。
【請求項４】
上記表示制御手段は、上記プラズマディスプレイパネルにＯＳＤ画像として表示させることを特徴とする請求項２または３に記載のプラズマディスプレイ装置。
【請求項５】
上記調整電圧は、サステイン回路駆動電圧、スキャン電極駆動ボ−ドのリセット回路駆動電圧、スキャン回路電圧、共通電極駆動ボ−ドのバイアス回路駆動電圧およびアドレス回路電圧であることを特徴とする請求項２〜４のいずれかに記載のプラズマディスプレイ装置。
【発明の詳細な説明】
【技術分野】
【０００１】
本発明は、発光体を発光させて画像を表示させるプラズマディスプレイパネル（ＰＤＰ）を具備する表示装置であるプラズマディスプレイ装置に関するものである。
【背景技術】
【０００２】
従来、ＣＲＴテレビジョン装置や、液晶テレビジョン装置等の表示装置において、の画質の調整時に動作状況を表示部に表示させるようにした表示装置が知られている（例えば、特許文献１〜３参照）。
【０００３】
ところで、図１に示したように、一般的なプラズマディスプレイパネル（以下、ＰＤＰという）を具備するプラズマディスプレイ装置の駆動システムは、電極駆動ボ−ド１１０、ＰＤＰ１２０、共通電極駆動ボ−ド１３０およびアドレスドライバＩＣ１４０で構成されている。
【０００４】
ＰＤＰの駆動シ−ケンスは、リセット区間、スキャン区間およびサステイン区間を繰り返すが、リセット区間はあらゆるセルを放電させると同時に壁電荷を消去することにより表示履歴を消去する区間であり、スキャン区間は、パネルの行／列電極の組み合わせによるマトリクス構成によってセルを選択してアドレス放電を形成させる区間であり、サステイン区間は、上記スキャン区間で選択されたセルの充／放電を、電力回収と共に反復して実行しながら画像を表示する区間である。ＰＤＰ駆動システムの各区間における細部的な駆動シ−ケンス動作については、従来公知の技術であるのでここでの詳細な説明は省略する。
【０００５】
このようなＰＤＰの駆動のために、図２に示したように、整流回路２１０および複数のＤＣ／ＤＣコンバ−タ２２０−１〜２２０−６で構成された一般的なパネル電源供給回路によって、サステイン回路駆動電圧Ｖｓｕｓ（１６０〜１８０Ｖ）、スキャン電極駆動ボ−ドのリセット回路駆動電圧Ｖｓｅｔ（２１０〜２３０Ｖ）、共通電極駆動ボ−ドのバイアス回路駆動電圧Ｖｅ（１８０〜２００Ｖ）、スキャン回路電圧Ｖｓｃａｎ（６０〜８０Ｖ）、アドレス回路電圧Ｖａｄｄ（６０〜８０Ｖ）等の安定した調整電圧（ＤＣ電圧）を供給している。
【０００６】
ところで、ＰＤＰ駆動システムに供給される各種の調整電圧の変化は、コントラストや輝度等の画質に直接的に影響を及ぼすものであるので、パネル性能の偏差を考慮して可変調整されなければならない。従来技術によれば、図３に示したように、一般的なフライバックＤＣ／ＤＣコンバ−タ回路で構成された電圧調整制御回路によって手動で各調整電圧を調整していた。
【特許文献１】登実第３０１９１０６号公報
【特許文献２】特開平１０−１６３８１７号公報
【特許文献３】特開２００２−２３７２４号公報
【発明の開示】
【発明が解決しようとする課題】
【０００７】
このように、プラズマディスプレイ装置においては、画質に影響を及ぼす調整電圧の種類が多く、これらの調整電圧の調整にかかる作業工程が複雑になる傾向がある。そのため、複数の各調整電圧について、その電圧値をチェックしながら、電圧の調整を行なうことは、非常に複雑であり、作業員の負担になっていた。
【０００８】
本発明は、かかる実情に鑑み、製造工程において、各調整電圧の調整を行う際の利便性に優れ、同調整にかかる作業を簡素化することが可能なプラズマディスプレイ装置を提供するものである。
【課題を解決するための手段】
【０００９】
上記目的を達成するため、請求項２にかかる発明は、入力映像信号に基づいて所定の表示画像をプラズマディスプレイパネルに表示させるプラズマディスプレイ装置において、
上記プラズマディスプレイパネルを駆動させるための複数の調整電圧を所定基準の電圧に変化させる電圧変換手段と、
上記電圧変換手段にて変換された上記複数の調整電圧をそれぞれ入力し、各調整電圧の電圧値に関する情報を取得する情報取得手段と、
上記情報取得手段にて取得された上記各調整電圧の電圧値に関する情報に基づき、各調整電圧の大きさを認識可能なように上記プラズマディスプレイパネルに表示させる表示制御手段とを具備する構成としてある。
【００１０】
上記のように構成した請求項２にかかる発明において、プラズマディスプレイ装置は、プラズマディスプレイパネル（ＰＤＰ）に画像を表示させるものであり、ＰＤＰを駆動させるための複数の調整電圧、例えば、上述したサステイン回路駆動電圧Ｖｓｕｓ、スキャン電極駆動ボ−ドのリセット回路駆動電圧Ｖｓｅｔ、共通電極駆動ボ−ドのバイアス回路駆動電圧Ｖｅ、スキャン回路電圧Ｖｓｃａｎ、アドレス回路電圧Ｖａｄｄを所定基準の電圧に変化させる電圧変換手段と、この電圧変換手段にて変換された上記複数の調整電圧をそれぞれ入力し、各調整電圧の電圧値に関する情報を取得する情報取得手段とを具備している。この電圧変換手段は、各調整電圧が、上記情報取得手段としてのマイコンに入力される場合に、変換後の電圧値が、同マイコンの回路電圧（Ｖｃｃ）を超えない電圧値（例えば、１／２Ｖｃｃ）となるように各調整電圧についての基準に基づいて電圧の変換を行なう。また、上記情報取得手段は、電圧変換手段による電圧変換後の調整電圧を入力し、各調整電圧の電圧値に関する情報を取得する。この電圧値に関する情報としては特に限定されず、例えば、電圧変化手段による電圧変換後の調整電圧の電圧値であってもよく、同電圧変換後の調整電圧の電圧値に基づいて算出された電圧変換前の調整電圧値であってもよい。
【００１１】
そして、上記プラズマディスプレイ装置は、上記情報取得手段にて取得された上記各調整電圧の電圧値に関する情報に基づき、各調整電圧の大きさを認識可能なように上記プラズマディスプレイパネルに表示させる表示制御手段を具備している。このように構成することにより、製造工程において、作業者は、プラズマディスプレイパネルの表示を見ることで、複数の調整電圧の電圧値の全てを一度に認識することが可能となり、作業の利便性が向上し、調整電圧の調整にかかる作業を簡素化することが可能となる。
【００１２】
また、請求項３にかかる発明は、上記表示制御手段が、上記各調整電圧の大きさを認識可能とすることに加えて、予め設定されている同各調整電圧についての基準電圧との差を認識可能なように上記プラズマディスプレイに表示させる構成としてある。
上記のように構成した請求項３にかかる発明において、現在印加されている調整電圧と、最適な画質を得ることが可能となる調整電圧の基準電圧との差を認識することができるため、調整電圧の調整にかかる作業をより簡素化することが可能となる。
【００１３】
また、請求項４にかかる発明は、上記表示制御手段が、上記プラズマディスプレイパネルにＯＳＤ画像として表示させる構成としてある。
上記のように構成した請求項４にかかる発明において、プラズマディスプレイパネルに表示されるＯＳＤ画像を見ながら調整電圧の調整作業を行なうことが可能となる。
【００１４】
また、請求項５にかかる発明は、上記調整電圧は、サステイン回路駆動電圧、スキャン電極駆動ボ−ドのリセット回路駆動電圧、スキャン回路電圧、共通電極駆動ボ−ドのバイアス回路駆動電圧およびアドレス回路電圧である構成としてある。
上記のように構成した請求項５にかかる発明において、サステイン回路駆動電圧、スキャン電極駆動ボ−ドのリセット回路駆動電圧、スキャン回路電圧、共通電極駆動ボ−ドのバイアス回路駆動電圧およびアドレス回路電圧の電圧値に関する情報を、プラズマディスプレイパネルに表示させることが可能となる。
【発明の効果】
【００１５】
本発明の請求項２にかかる発明では、複数の調整電圧の電圧値の全てを一度に認識することが可能となり、作業の利便性が向上し、調整電圧の調整にかかる作業を簡素化することが可能となる。
請求項３にかかる発明では、現在印加されている調整電圧と、最適な画質を得ることが可能となる調整電圧の基準電圧との差を認識することができるため、調整電圧の調整にかかる作業をより簡素化することが可能となる。
請求項４にかかる発明では、プラズマディスプレイパネルに表示されるＯＳＤ画像を見ながら調整電圧の調整作業を行なうことが可能となる。
請求項５にかかる発明では、サステイン回路駆動電圧、スキャン電極駆動ボ−ドのリセット回路駆動電圧、スキャン回路電圧、共通電極駆動ボ−ドのバイアス回路駆動電圧およびアドレス回路電圧の電圧値に関する情報を、プラズマディスプレイパネルに表示させることが可能となる。
【発明を実施するための最良の形態】
【００１６】
以下、本発明の実施形態を下記の順序に従って説明する。
（１）プラズマディスプレイ装置の構成：
（２）ＯＳＤ画像の表示：
（３）各種変形例：
（４）まとめ：
【００１７】
図１は、実施形態にかかるプラズマディスプレイ装置の概略構成を示すブロック図である。同図において、プラズマディスプレイ装置２０は、アンテナ１０からの周波信号を入力するチュ−ナ部２２を具備している。チュ−ナ部２２は、例えば、シンセサイザ方式のチュ−ナの構成とされ、選局制御信号としてＰＬＬデータ、すなわち、ＰＬＬグル−プにおける可変分周回路の分周比のデ−タが与えられる。
【００１８】
また、プラズマディスプレイ装置２０は、ビデオ入力端子２４を具備している。ビデオ入力端子２４には、外部装置として例えば、図示しないＤＶＤ装置等を接続可能であり、このビデオ入力端子２４を介して外部らの映像信号および音声信号の入力が可能となっている。チュ−ナ部２２とビデオ入力端子２４とには、スイッチ回路２５が接続されている。このスイッチ回路２５は、チュ−ナ部２２からの映像信号、または、ビデオ入力端子２４からの映像信号のいずれか一方を有効とし、後述する映像信号処理部２３に供給するためのものである。すなわち、実施形態にかかるプラズマディスプレイ装置２０は、ＴＶ放送の受像と、ＤＶＤ装置等の外部装置からの映像の表示との両方を行うことが可能なように構成されている。
【００１９】
チュ−ナ部２２またはビデオ入力端子２４からの出力は、マイコン２８に制御された映像信号処理部２３に供給される。映像信号処理部２３は、入力された当該ビデオ信号のデジタル信号への変換処理、映像信号と音声信号との分離、インタ−レ−ス形式の映像信号のプログレッシブ形式の映像信号への変換等の所定の信号処理を行う。
【００２０】
フレ−ムメモリ２６は、上記信号処理が施された一表示画面（フレ−ム）毎の映像信号を一時的に格納するためのものであり、後述する駆動ドライバ２７を介してプラズマディスプレイパネル（ＰＤＰ）２９に出力、表示される。
【００２１】
駆動ドライバ２７は、ＰＤＰ２９にマトリクス状に設けられたＸ方向、Ｙ方向の両電極に、フレ−ムメモリ２６に格納されたフレ−ムデ−タに応じて発生さらせたデ−タパルスを印加し、所定のセルを発光制御する。なお、駆動ドライバ２７とＰＤＰ２９とで、プラズマディスプレイパネルモジュ−ル２９ｃが構成される。
【００２２】
また、プラズマディスプレイ装置２０は、調整電圧モニタ回路４０を具備している。この調整電圧モニタ回路４０は、後に詳述するが、ＰＤＰ２９の駆動に必要な５種類の調整電圧の電圧値を測定するとともに、各調整電圧の電圧値を視認可能にＰＤＰ２９に表示させる処理を行う回路である。
【００２３】
図２は、図１に示した調整電圧モニタ回路４０の概略構成を示すブロック図である。同図において、調整電圧モニタ回路４０は、図１に示したマイコン２８とは別個のマイコン５０を具備しており、このマイコン５０は、５つのＡ／Ｄ変換ポ−ト５１〜５５を具備している。この５つのＡ／Ｄ変換ポ−ト５１〜５５には、パネル電源供給回路（図示せず）によって、サステイン回路駆動電圧Ｖｓｕｓ、アドレス回路電圧Ｖａｄｄ、スキャン回路電圧Ｖｓｃａｎ、スキャン電極駆動ボ−ドのリセット回路駆動電圧Ｖｓｅｔ、共通電極駆動ボ−ドのバイアス回路駆動電圧Ｖｅが、各電圧供給源からその電圧が変換されて供給される。
【００２４】
例えば、Ａ／Ｄ変換ポ−ト５１は、サステイン回路駆動電圧Ｖｓｕｓの電圧供給源とグランド６１ｃとの間に接続された二つの抵抗６１ａ、６１ｂの中間点に接続されており、このような接続形態とすることにより、サステイン回路駆動電圧Ｖｓｕｓを一定割合で分圧した電圧がＡ／Ｄ変換ポ−ト５１に入力されることとなる。また、アドレス回路電圧Ｖａｄｄ、スキャン回路電圧Ｖｓｃａｎ、リセット回路駆動電圧Ｖｓｅｔ、バイアス回路駆動電圧Ｖｅについても、これと同様に、それぞれ、調整電圧の電圧供給源とグランド６２ｃ〜６５ｃとの間に接続された二つの抵抗６２ａ〜６５ａ、６２ｂ〜６５ｂとの中間点とＡ／Ｄ変換ポ−ト５２〜５５とが接続されて電圧変換が行なわれる構成となっている。
なお、抵抗６１ａ、６１ｂおよびグランド６１ｃは、上記電圧変換手段として機能するものであり、抵抗６２ａ、６２ｂおよびグランド６２ｃ、抵抗６３ａ、６３ｂおよびグランド６３ｃ、抵抗６４ａ、６４ｂおよびグランド６４ｃ、並びに、抵抗６５ａ、６５ｂおよびグランド６５ｃも同様に上記電圧変換手段として機能するものである。
【００２５】
マイコン５０は、Ａ／Ｄ変換ポ−ト５１〜５５の各々から入力した電圧変換後の調整電圧の電圧値を測定するとともに、この測定結果に基づいて、調整電圧の電圧値に関する情報を取得する。同情報としては、特に限定されるものではなく、電圧値変換後の調整電圧の電圧値そのものであってもよく、変換前の調整電圧値であってもよい。また、マイコン５０には、最適な画質を実現することができる各調整電圧についての電圧値に関する情報が予めＲＯＭ（図示せず）に記憶されている。
【００２６】
また、調整電圧モニタ回路４０は、ＯＳＤ処理部７０を具備している。このＯＳＤ処理部７０は、映像に所定の静止画像を重ねて表示したり、所定の静止画像を差し替えて表示する等の処理を行うことができる。本実施形態において、ＰＤＰ２９には、上述した５種類の調整電圧（サステイン回路駆動電圧Ｖｓｕｓ、アドレス回路電圧Ｖａｄｄ、スキャン回路電圧Ｖｓｃａｎ、リセット回路駆動電圧Ｖｓｅｔおよびバイアス回路駆動電圧Ｖｅ）の各々の電圧値を示す静止画像を表示させる。
【００２７】
（２）ＯＳＤ画像の表示：
図３は、上述した５種類の調整電圧の電圧値を示すＯＳＤ画像が表示されている様子を示す図である。なお、図３に示す例では、マイコン５０が、上記調整電圧の電圧値に関する情報として、電圧変換後の調整電圧の電圧値を取得し、これに基づくＯＳＤ画像を表示させる場合について説明する。また、上記５種類の調整電圧の全てについて、画質が最適となる調整電圧（以下、基準電圧という）が、マイコン５０の回路電圧（Ｖｃｃ）の１／２（＝（１／２）Ｖｃｃ）となるように、各調整電圧の電圧変換が行われる場合について説明する。すなわち、Ａ／Ｄ変換ポ−ト５１〜５５に入力された変換後の調整電圧の電圧値が、（１／２）Ｖｃｃとなったときに、最適な電圧値となるものとする。
【００２８】
同図において、ＰＤＰ２９の表示画面２９ａには、上述したＯＳＤ画像が表示されている。５種類の調整電圧（サステイン回路駆動電圧Ｖｓｕｓ、アドレス回路電圧Ｖａｄｄ、スキャン回路電圧Ｖｓｃａｎ、リセット回路駆動電圧Ｖｓｅｔ、バイアス回路駆動電圧Ｖｅ）の各々の電圧値が、それぞれ縦に並んで目盛り状に示されている。図中、各調整電圧の目盛の中央部の「０」点は、基準電圧値（１／２）Ｖｃｃを示している。そして、図中、黒塗りの矩形にて示す目盛り上に配置されている画像が、マイコン５０による調整電圧の計測値を示している。この目盛り上に配置される画像は、入力された電圧変換後の各調整電圧に基づいてマイコン５０により測定された電圧値に基づいてマイコン５０からの指令によりＯＳＤ処理部７０による表示制御にて表示されるものである。例えば、サステイン回路駆動電圧Ｖｓｕｓの計測値は、「０」点よりも一目盛りだけ大きく、また、スキャン回路電圧Ｖｓｃａｎの計測値は、「０」点よりも四目盛りだけ小さくなっている。
この「０」点と、黒塗りの矩形との位置関係を視認することにより、マイコン５０にて計測された各調整電圧の電圧値の基準電圧値からのずれを認識することができる。そして、製造工程における作業者は、この画面を見ながら各調整電圧の電圧値を調整することが可能となるのである。なお、表示画面２９ａの右端部には、基準電圧からのずれ幅の割合を示す数値が表示されている。
また、表示画面２９ａの右側には、各調整電圧の測定値の基準電圧からのずれの割合を示す数値が表示されている。この割合は、調整電圧の測定値の基準電圧からのずれを、基準電圧で除することにより算出することが可能である。例えば、サステイン回路駆動電圧Ｖｓｕｓの測定値の基準電圧からのずれの割合は、０．５％であり、スキャン回路電圧Ｖｓｃａｎの測定値の基準電圧からのずれの割合は、−２．０％である。なお、各調整電圧の電圧値について、基準電圧からのずれが所定の割合（例えば、±２％）を超えた場合には、目盛り上に配置される調整電圧の電圧値を示す画像の色を目立つ色に変化させるようにしてもよい。
【００２９】
（３）各種変形例：
上述した実施形態においては、マイコン５０による調整電圧の電圧値に関する情報（電圧変換後の調整電圧の電圧値）が、基準電圧を「０」点とする目盛りにより示されている場合について説明したが、本発明において各調整電圧の大きさを認識可能とする表示方法としてはこれに限定されるものではなく、種々の方法を採用することが可能である。例えば、基準電圧値と各調整電圧の計測結果とをそのまま数値にて表示するようにしてもよい。
また、実施形態においては、テレビジョン放送電波に基づく画像を表示させるための制御を行うマイコン２８と、調整電圧モニタ回路の駆動制御を行うマイコン５０との２つのマイコンが別個に設けられている場合について説明したが、プラズマディスプレイ装置が具備するマイコンを一つとし、上述した２つの機能を実現させるようにしてもよい。
【００３０】
（４）まとめ：
以上説明したように、実施形態にかかるプラズマディスプレイ装置２０は、５種類の調整電圧（サステイン回路駆動電圧Ｖｓｕｓ、アドレス回路電圧Ｖａｄｄ、スキャン回路電圧Ｖｓｃａｎ、スキャン電極駆動ボ−ドのリセット回路駆動電圧Ｖｓｅｔ、共通電極駆動ボ−ドのバイアス回路駆動電圧Ｖｅ）の電圧を変換させてマイコン５０のＡ／Ｄ変換ポ−ト５１〜５５に入力させ、マイコン５０は、この入力された各調整電圧の電圧値を計測して、各電圧値の大きさを示すＯＳＤ画像をＰＤＰ２９に表示させるように構成されているため、製造工程において作業者は、このＯＳＤ画像を見ることにより、５種類の調整電圧の電圧値を全て把握することができることとなり、調整電圧の調整作業の利便性が向上することとなる。
【図面の簡単な説明】
【００３１】
【図１】プラズマディスプレイ装置の概略構成を示すブロック図である。
【図２】調整電圧モニタ回路の概略構成を示すブロック図である。
【図３】調整電圧の電圧値を示すＯＳＤ画像が表示されている様子を示す図である。
【図４】一般的なＰＤＰ駆動システムの構成図である。
【図５】ＰＤＰ駆動電圧を生成するための一般的な電源供給回路の構成図である。
【図６】従来の技術によるＰＤＰ駆動電圧調整回路の構成図である。
【符号の説明】
【００３２】
１０…アンテナ
２０…プラズマディスプレイ装置
２２…チュ−ナ部
２３…映像信号処理部
２４…ビデオ入力端子
２８…マイコン
２９…ＰＤＰ
４０…調整電圧モニタ回路
５０…マイコン
５１〜５５…Ａ／Ｄ変換ポ−ト
６１ａ〜６５ａ、６１ｂ〜６５ｂ…抵抗
６１ｃ〜６５ｃ…グランド
７０…ＯＳＤ処理部
【図１】
2006293078.tif 000003
【図２】
2006293078.tif 000004
【図３】
2006293078.tif 000005
【図４】
2006293078.tif 000006
【図５】
2006293078.tif 000007
【図６】
2006293078.tif 000008